(57)【要約】【課題】カード収納ポケットを多数効率的に形成し、カード収納ポケットに収納されたカードが出し入れし易くなるカード収納ポケット付き財布に関する。【解決手段】カード収納ポケットを重なり合うように横並び状に複数備えた財布において、カード収納ポケットの形状をカードを縦長方向に収納できる形状に構成し、カード収納ポケットの上端はカードの上部がカード収納ポケットの上端より飛び出る高さ位置に納まる形状に構成し、各カード収納ポケットの基端側縁を、財布の仕切り壁に直縫着し、カード収納ポケットの終端側縁は伸縮折り返し部を確保して、隣り合う横のカード収納ポケットの表面部と重なり合うように縫着し、横並び状の最終位置に来る最終カード収納ポケットの終端側縁のみを伸縮折り返し部を確保して財布の仕切り壁に直縫着するようにしたことを特徴とする。【選択図】図１
0003146135.tif 000002
【実用新案登録請求の範囲】
【請求項１】
カード収納ポケットを重なり合うように横並び状に複数備えた財布において、そのカード収納ポケットの形状を、カードを縦長方向に収納できる形状に構成し、そのカード収納ポケットの上端は、カード収納ポケットに収納されたカードの上部がカード収納ポケットの上端より飛び出る高さ位置に納まる形状に構成し、各カード収納ポケットの基端側縁を、財布の仕切り壁に直縫着し、カード収納ポケットの終端側縁は伸縮折り返し部を確保して、隣り合う横のカード収納ポケットの表面部と重なり合うように縫着し、横並び状の最終位置に来る最終カード収納ポケットの終端側縁のみを伸縮折り返し部を確保して財布の仕切り壁に直縫着するようにしたことを特徴とするカード収納ポケット付き財布。
【請求項２】
カード収納ポケットを重なり合うように横並び状にしたカード収納ポケット列を、複数列備えるようにしたことを特徴とする請求項１記載のカード収納ポケット付き財布。
【請求項３】
札入れ部と小銭入れ部とを備えたことを特徴とする請求項１又は２に記載のカード収納ポケット付き財布。
【考案の詳細な説明】
【技術分野】
【０００１】
本考案は、斬新な形態のカード収納ポケット付き財布に係り、さらに詳しくはカード収納ポケットを多数効率的に形成することができ、かつカード収納ポケットに収納されたカードが出し入れし易くなるカード収納ポケット付き財布に関する。
【背景技術】
【０００２】
従来より使われているカード収納ポケット付き財布としては、札入れ部とカード収納ポケットを備えた財布、あるいはこれに加えて小銭（コイン）入れ部を備えた財布などが知られており、それら財布においてカード収納ポケットを複数形成したものが存在する。
【０００３】
【特許文献１】実用新案登録第３０７１２１９号公報
【特許文献２】実用新案登録第３１３４７９８号公報
【考案の開示】
【考案が解決しようとする課題】
【０００４】
しかしながら、上記したようなカード収納ポケット付き財布は、いずれもカード収納ポケットが重なり合って形成され、一つずつのカード収納ポケットが伸縮できない構造で形成され、かつカードの差込方向はカードが横長状になる方向で差し込まれるようになっていた。
【０００５】
そのためカード収納ポケットにカードを収納すると、カードが重なり合うように収納され、もともと余裕のない収納ポケットの内部スペースが伸縮動できずに益々狭くなり、それに伴いカードとカード収納ポケットとの摩擦抵抗も大きくなっていた。
摩擦抵抗が大きくなることより、カードの出し入れ時に、カードをつまむ指先がカードに引っかかりにくくなって、カードの出し入れに苦労する問題が起きていた。
【０００６】
さらにカードの出し入れ方向も、カードを横長状に置いた状態で出し入れするようになっていたため、収納ポケットを形成する財布の横幅寸法の限界から、当然のことながら横に並べられる収納ポケットの数も少なくなってしまうという限界的な問題点があった。
そのため、使い勝手のよい新型のカード収納ポケット付き財布の出現が望まれていた。
【０００７】
本考案の目的は、斬新なデザインでありながらカード収納ポケットを多数効率的に形成することができ、かつカード収納ポケットに収納されたカードが出し入れし易い状態で収納され、このような特徴を有する使い易さに優れたカード収納ポケット付き財布を提供することにある。
【課題を解決するための手段】
【０００８】
前記課題を解決するために、請求項１に記載の考案は、カード収納ポケットを重なり合うように横並び状に複数備えた財布において、そのカード収納ポケットの形状を、カードを縦長方向に収納できる形状に構成し、そのカード収納ポケットの上端は、カード収納ポケットに収納されたカードの上部がカード収納ポケットの上端より飛び出る高さ位置に納まる形状に構成し、各カード収納ポケットの基端側縁を、財布の仕切り壁に直縫着し、カード収納ポケットの終端側縁は伸縮折り返し部を確保して、隣り合う横のカード収納ポケットの表面部と重なり合うように縫着し、横並び状の最終位置に来る最終カード収納ポケットの終端側縁のみを伸縮折り返し部を確保して財布の仕切り壁に直縫着するようにしたことを特徴とするカード収納ポケット付き財布である。
【０００９】
上記の本考案に係るカード収納ポケット付き財布は、財布の蓋体を開放する状態にして、財布の上方開口部よりカードをカード収納ポケットに差し込んで収納する。
差し込まれたカードの上部は、収納ポケットの上端より飛び出る高さ位置に納まる。
またカードの出し入れ時には、各収納ポケットに形成してある伸縮折り返し部が伸縮動することで収納ポケット内部に余裕空間が確保される。
【００１０】
前記課題を解決するために、請求項２に記載の考案では、カード収納ポケットを重なり合うように横並び状にしたカード収納ポケット列を、複数列備えるようにしたことを特徴とするカード収納ポケット付き財布である。
【００１１】
上記の本考案に係るカード収納ポケット付き財布は、カード収納ポケット列を複数形成することができ、カード収納ポケットの総数を確実に増やすことができる。
【００１２】
前記課題を解決するために、請求項３に記載の考案では、札入れ部と小銭入れ部とを備えたことを特徴とする請求項１又は２に記載のカード収納ポケット付き財布である。
【００１３】
上記の本考案に係るカード収納ポケット付き財布は、札入れ部と、小銭入れ部を備えるので、財布としての機能を十分に備える。
【考案の効果】
【００１４】
上記の請求項１に記載の考案によれば、カードをカード収納ポケットに出し入れするのに、カードが指先でつまみ易くなり、カード収納ポケットに余裕空間を確保することで、出し入れ時にはカード収納ポケットの開口部を広げられるので、カードの出し入れがスムーズに行えるようになるという効果を発揮する。
【００１５】
請求項２に記載の考案によれば、カード収納ポケット列を複数形成することで、カード収納ポケットの総数を増やせるので、多数のカードを持ち運ぶようになった現代において、大変使い易い財布となる効果を発揮する。
【００１６】
請求項３に記載の考案によれば、札入れ部と小銭入れ部とを備えているので、財布としての使い勝手が向上し、財布としての利用価値が高まるという効果を発揮する。
【考案を実施するための最良の形態】
【００１７】
以下添付図面に基づいて、本考案に係るカード収納ポケット付き財布の一実施の形態を詳説する。
図１は、本考案に係るカード収納ポケット付き財布の実施形態の一例を示す蓋体を開いた状態の斜視図であり、図２はカード収納ポケットにカードを差し込む状態の拡大斜視図であり、図３はカード収納ポケットの平面図である。
【００１８】
図１に示されるごとく、本考案のカード収納ポケット付き財布１は、皮革、合成皮革、布、などの適宜素材で形成され、必要に応じて適宜の形状の札入れ部２と小銭入れ部３が備えられ、蓋体４のホック５と本体６のホック７などを利用して蓋体４と本体６の係止が行われる。
小銭入れ部３には、小銭のこぼれだしを防ぐためのフラップ８，９が備えられている。
【００１９】
財布１の内部には、やや剛性を有する仕切り壁１０が一つ又は複数設けられている。この仕切り壁１０は、札入れ部２の仕切りとなったり、カード収納ポケット１１の取り付け用の基板としての機能を果たしている。
【００２０】
カード収納ポケット１１は、その上端が開口１２に形成されており、カード１３を縦長方向に収納できる形状に構成されている。
またカード収納ポケット１１の上端１１aは、カード収納ポケット１１に収納されたカード１３の上部１３ａがカード収納ポケット１１の上端１１aより飛び出る高さ位置に納まる形状に構成されている。
このため、カード１３がカード収納ポケット１１に納められた際には、カード１３の上部１３ａが常に収納ポケット１１より飛び出た状態で納められる。
【００２１】
またカード収納ポケット１１は、その基端側縁１４を財布１の仕切り壁１０と直縫着しており、終端側縁１５は伸縮折り返し部１６を確保しつつ、隣り合う横の別のカード収納ポケット１１の表面部１７と重なり合うように縫着している。
【００２２】
このように図２において、左側から右側の方向に向かって、順次カード収納ポケット１１を重なり合うように形成していき、横並び状の最終位置に来る最終カード収納ポケット２０の終端側縁２１のみを伸縮折り返し部２２を確保して財布の仕切り壁１０に直逢着している。このようにしてカード収納ポケット列１８を形成し、必要に応じてこのカード収納ポケット列１８を複数形成することができる。
【産業上の利用可能性】
【００２３】
本考案のカード収納ポケット付き財布は、ポイントカード、会員カード、その他の各種カードを財布にまとめて収納し、同時に札入れ部に札を収納し、小銭入れ部に小銭を収納して買い物に出かける人々に利用されることができ、これを利用することで、カードの出し入れが容易な使い勝手のよい財布が得られることとなる。
【図面の簡単な説明】
【００２４】
【図１】本考案に係るカード収納ポケット付き財布の実施形態の一例を示す蓋体を開いた状態の斜視図である。
【図２】カード収納ポケットにカードを差し込む状態の拡大斜視図である。
【図３】カード収納ポケットの平面図である。
【符号の説明】
【００２５】
１ …財布
２ …札入れ部
３ …小銭入れ部
４ …蓋体
５ …ホック
６ …本体
７ …ホック
８ …フラップ
９ …フラップ
１０ …仕切り壁
１１ …カード収納ポケット
１１ａ …カード収納ポケットの上端
１２ …カード収納ポケットの開口
１３ …カード
１３ａ …カードの上部
１４ …基端側縁
１５ …終端側縁
１６ …伸縮折り返し部
１７ …隣り合う横のカード収納ポケットの表面部
１８ …カード収納ポケット列
２０ …最終カード収納ポケット
２１ …最終カード収納ポケットの終端側縁
２２ …最終カード収納ポケットの伸縮折り返し部
【図１】
0003146135.tif 000003
【図２】
0003146135.tif 000004
【図３】
0003146135.tif 000005